(57)【要約】【課題】  本発明の課題は、梱包された状態にある電子装置を開梱することなくプログラムの変更を行うことができる電子装置の提供を目的とする。また、その電子装置を梱包する電子装置の梱包部材の提供を目的とする。【解決手段】  本発明の電子装置及び電子装置の梱包部材によれば、梱包部材の電子装置のプログラムや設定情報の変更時に必要な部材に対応する位置に開口部を設けることで、梱包された電子装置を開梱することなくプログラムや設定情報を変更することができる。これにより、梱包状態にある電子装置のプログラム又は設定情報の変更を短時間で効率的に実施することができる。【選択図】図１
2006243419.tif 000002
【特許請求の範囲】
【請求項１】
輸送又は保管するための梱包部材により梱包される電子装置であって、
前記電子装置を制御するためのプログラム又は設定情報を記憶する記憶部と、
前記梱包部材によって梱包された状態であるか否かを検出する検出手段と、
前記検出手段により前記梱包部材によって梱包された状態であると検出された場合、前記記憶部に記憶された前記プログラム又は前記設定情報を変更する変更手段とを有することを特徴とする電子装置。
【請求項２】
外部装置と接続するためのインタフェース部と、
前記インタフェース部に接続され、該インタフェース部から出力される出力信号を該インタフェース部に対する入力信号として入力させるコネクタとを備え、
前記検出手段は、前記出力信号と前記入力信号とが一致した場合に、前記梱包部材によって梱包された状態であると検出することを特徴とする請求項１記載の電子装置。
【請求項３】
前記電子装置の本体に着脱自在に設けられたユニットと、該ユニットが前記電子装置の本体に装着されているか否かを示す装着状態を検知する装着状態検知部とを有し、
前記検出手段は、前記装着状態検知部により検知された前記ユニットの装着状態に基づいて、前記梱包部材によって梱包された状態であるか否かを検出することを特徴とする請求項１記載の電子装置。
【請求項４】
前記電子装置は、シート状の印刷媒体上に現像剤を用いて画像を形成する電子装置であって、
前記ユニットは、前記現像剤を収容する現像剤収容部であることを特徴とする請求項３記載の電子装置。
【請求項５】
前記印刷媒体の堆積量を検出する堆積量検出手段を更に備え、
前記検出手段は、前記堆積量検出手段により前記印刷媒体の堆積量が所定量を越えていることが検出されたとき、前記梱包部材によって梱包された状態であると検出することを特徴とする請求項４記載の電子装置。
【請求項６】
請求項１乃至請求項５の何れかに記載の電子装置を梱包する電子装置の梱包部材であって、
前記電子装置が梱包された状態で該電子装置と外部装置とを接続するためのインタフェース部が臨むように設けられた開口部を備えることを特徴とする電子装置の梱包部材。
【請求項７】
前記開口部は、開閉自在に設けられていることを特徴とする請求項６記載の電子装置の梱包部材。
【発明の詳細な説明】
【技術分野】
【０００１】
本発明は、複写機、プリンタ又はファクシミリ或いはこれら複合機の電子装置、及び、この電子装置の梱包部材に関するものである。
【背景技術】
【０００２】
従来電子装置においては、仕向先によって異なる設定や制御プログラムの変更が度々行われる。プログラムを変更するには電子装置のカバーを取り外して基板に実装されている記憶素子を交換していた。また、外部から書き換え可能な記憶素子を装置に実装している場合、書き換え用制御プログラムを記憶したホストを基板に設けられた専用のコネクタを介して接続することで記憶素子を電気的に書き換えを実施し、変更することが行われていた（例えば、特許文献１参照）。
【０００３】
【特許文献１】特開２００２−２００８２２号公報
【発明の開示】
【発明が解決しようとする課題】
【０００４】
しかしながら、上記特許文献１は、工場や販売先などで既に梱包された状態の電子装置に対してプログラムの変更を実施する場合、梱包された状態にある電子装置を一度開梱してプログラムの変更を適用してから再度梱包する必要があった。そのため、多くの作業時間を要し、効率的でないという問題点があった。
【０００５】
そこで、本発明は、上記実状に鑑み、梱包された状態にある電子装置を開梱することなくプログラムの変更を行うことができる電子装置の提供を目的とする。また、その電子装置を梱包する電子装置の梱包部材の提供を目的とする。
【課題を解決するための手段】
【０００６】
本発明の電子装置は、輸送又は保管するための梱包部材により梱包される電子装置であって、前記電子装置を制御するためのプログラム又は設定情報を記憶する記憶部と、前記梱包部材によって梱包された状態であるか否かを検出する検出手段と、前記検出手段により前記梱包部材によって梱包された状態であると検出された場合、前記記憶部に記憶された前記プログラム又は前記設定情報を変更する変更手段とを有することを特徴とする。
【０００７】
本発明の電子装置によれば、検出手段により電子装置が梱包部材に梱包されているか否かを検出することができる。そして、電子装置が梱包されている状態でも、記憶部のプログラム又は設定情報は変更手段によって変更することができる。すなわち、梱包されている電子装置のプログラム又は設定情報を変更する際に、一度開梱する必要がない。また、再び電子装置を梱包する必要もない。したがって、短時間で効率的にプログラムや設定情報を変更することができる。
【０００８】
また、本発明の電子装置において、外部装置と接続するためのインタフェース部と、前記インタフェース部に接続され、該インタフェース部から出力される出力信号を該インタフェース部に対する入力信号として入力させるコネクタとを備え、前記検出手段は、前記出力信号と前記入力信号とが一致した場合に、前記梱包部材によって梱包された状態であると検出することを特徴とする。これにより、コネクタによって電子装置から出力する出力信号をインタフェース部に対する入力信号として電子装置に入力することができ、電子装置が梱包された状態であることを容易に検出することができる。したがって、電源を投入するだけで、電子装置はプログラム又は設定情報を変更する設定変更モードで起動し、プログラム又は設定情報の変更を容易に行うことができる。
【０００９】
さらに、本発明の電子装置において、前記電子装置の本体に着脱自在に設けられたユニットと、該ユニットが前記電子装置の本体に装着されているか否かを示す装着状態を検知する装着状態検知部とを有し、前記検出手段は、前記装着状態検知部により検知された前記ユニットの装着状態に基づいて、前記梱包部材によって梱包された状態であるか否かを検出することを特徴とする。これにより、ユニットの装着状態であるか否かによって、電子装置が梱包された状態であるか否かを容易に検出することができる。したがって、電源を投入するだけで、電子装置はプログラム又は設定情報を変更する設定変更モードで起動し、プログラム又は設定情報の変更を容易に行うことができる。
【００１０】
またさらに、本発明の電子装置において、前記電子装置は、シート状の印刷媒体上に現像剤を用いて画像を形成する電子装置であって、前記ユニットは、前記現像剤を収容する現像剤収容部であることを特徴とする。通常電子装置は、現像剤収容部を装着せずに梱包される。これにより、現像剤収容部の有無によって、電子装置が梱包された状態であるか否かを容易に検出することができる。
【００１１】
また、本発明の電子装置において、前記印刷媒体の堆積量を検出する堆積量検出手段を更に備え、前記検出手段は、前記堆積量検出手段により前記印刷媒体の堆積量が所定量を越えていることが検出されたとき、前記梱包部材によって梱包された状態であると検出することを特徴とする。これにより、印刷媒体の堆積量によって、電子装置が梱包された状態であるか否かを容易に検出することができる。
【００１２】
本発明の電子装置の梱包部材は、上述の電子装置を梱包する電子装置の梱包部材であって、前記電子装置が梱包された状態で該電子装置と外部装置とを接続するためのインタフェース部が臨むように設けられた開口部を備えることを特徴とする。
【００１３】
本発明の電子装置の梱包部材によれば、梱包部材に開口部を設けることで、梱包したままの状態で電子装置のプログラム又は設定情報を変更することができる。これにより、梱包状態にある電子装置のプログラム又は設定情報の変更を短時間で効率的に実施することができる。
【００１４】
さらに、本発明の電子装置の梱包部材において、前記開口部は、開閉自在に設けられていることを特徴とする。これにより、必要なときのみに開口部として使用することができ、開口部を使用しない場合は開口部を塞ぐことで梱包部材の内部に入り込む塵や埃等の進入を防ぎ、梱包される電子装置のショート等を防止することができる。
【発明の効果】
【００１５】
本発明の電子装置によれば、検出手段により電子装置が梱包部材に梱包されているか否かを検出することができる。そして、電子装置が梱包されている状態であっても、記憶部のプログラム又は設定情報は変更手段によって変更することができる。すなわち、梱包されている電子装置のプログラム又は設定情報を変更する際に、一度開梱する必要がない。また、再び電子装置を梱包する必要もない。したがって、短時間で効率的にプログラムや設定情報を変更することができる。
【００１６】
また、本発明の電子装置の梱包部材によれば、梱包部材に開口部を設けることで、梱包したままの状態で電子装置のプログラム又は設定情報を変更することができる。これにより、梱包状態にある電子装置のプログラム又は設定情報の変更を短時間で効率的に実施することができる。
【発明を実施するための最良の形態】
【００１７】
以下、本発明の電子装置及びこの電子装置の梱包部材について、図面を参照しながら説明する。なお、電子装置としてプリンタを一例に挙げて説明するが、本発明の電子装置は、これに限られるものではなく、本発明の要旨を逸脱しない範囲において適宜変更可能である。
【００１８】
［実施の形態１］
図１は、本発明の電子装置とこの電子装置を梱包する梱包部材を示す分解斜視図である。実施の形態１で示される本発明の電子装置１０５は、上箱１０１及び下箱１０６により構成される梱包部材に梱包される。そして、この電子装置１０５が梱包部材に梱包される際に付属品箱１０３や緩衝部材１０４が備えられている。
【００１９】
付属品箱１０３は、電子装置１０５とともに梱包部材の内部に配され、電子装置１０５に必要なケーブルやコネクタ等を梱包部材に梱包する。緩衝部材１０４は、電子装置１０５とともに梱包部材の内部に配され、電子装置１０５を梱包部材内で定置させ、外部からの衝撃を電子装置１０５に伝わり難くする。
【００２０】
電子装置１０５を梱包する梱包部材は、上箱１０１と下箱１０６とから構成される。上箱は、下箱１０６と合わせて電子装置１０５を梱包できる程度の大きさを有し、電子装置１０５の上部に配置される。そして、上箱１０１は、下箱１０６と嵌合し、電子装置１０５を梱包する。
【００２１】
この上箱１０１の側面には、一部をミシン目とし、必要時に外部から力を加えることで形成される開口部１０２ａ、１０２ｂ、１０２ｃ、１０２ｄを有する。そして、電子装置１０５が梱包部材で梱包された際に、開口部１０２ａは下記で説明する電源スイッチ２０２が臨み、開口部１０２ｂは下記で説明するインタフェース部２０３が臨み、開口部１０１ｃは下記で説明する電源コネクタ２０４が臨み、開口部１０１ｄは操作パネル２０１が臨むような位置に設けられている。
【００２２】
下箱１０６は、電子装置１０５の下部に配置され、上箱１０１を嵌合することで、電子装置１０５を梱包する。この下箱１０６には、電子装置１０５が梱包部材内で移動することを防止するために電子装置１０５の形状に合わせた緩衝部材が備えられている。
【００２３】
図２は、電子装置の外観を示す斜視図である。本発明の電子装置１０５は、外部装置で形成した画像情報を下記で説明するインタフェース部２０３を介して受け取る。受け取った画像情報を現像部であるイメージドラムカートリッジで現像する。この現像部は、例えば、イエロー（Ｙ）、マゼンタ（Ｍ）、シアン（Ｃ）、ブラック（Ｋ）の各色のトナーを貯蔵するトナーカートリッジを備え、各色に対応するイメージドラムやトナー画像を転写する転写ローラ等を有する。この現像部は、イメージドラムに格納された感光体ドラム上に静電潜像を形成し、その静電潜像をトナーによって現像してトナー画像とした上で、この感光体ドラム上のトナー画像を所定の媒体上に転写する。画像情報が転写された媒体は、装置側面に備えられたフェイスアップスタッカ２０７や装置上面に備えられたフェイスダウンスタッカ２０５に媒体を排出する。
【００２４】
この電子装置１０５は、装置正面に操作パネル２０１と、装置左側面手前に電源スイッチ２０２と、装置背面に電源コネクタ２０４を備えている。この装置背面には、制御部２０６が収納され、制御部２０６の一部がインタフェース部２０３として装置左側面奥に配置されている。
【００２５】
電源コネクタ２０４は、電子装置１０５と電源とを接続するためのコネクタであり、例えば電源ケーブルを用いて電源と電子装置１０５とを接続する。電源スイッチ２０２は、電源からの電気的接続をオンオフするスイッチで、電源コネクタ２０４を介して電源ケーブル等で電源と接続した電源装置１０５の電源スイッチ２０２をオンとすることで、電子装置１０５と電源とを電気的に接続することができる。
【００２６】
制御部２０６は、図２（ｃ）のように、インタフェース部２０３を有し、このインタフェース部２０３が電子装置１０５の左側面奥に備えられるように電子装置１０５の側面に収納されている。インタフェース部２０３は、図２（ｂ）のように、ＬＡＮ（Ｌｏｃａｌ  Ａｒｅａ  Ｎｅｔｗｏｒｋ）等のネットワークと接続するネットワークインタフェースコネクタ２０３ａと、例えばコンピュータやスキャナ等の外部装置と接続するパラレルインタフェースコネクタ２０３ｂやＵＳＢ（Ｕｎｉｖｅｒｓａｌ  Ｓｅｒｉａｌ  Ｂｕｓ）インタフェースコネクタ２０３ｃとを有している。
【００２７】
これら、ネットワークインタフェースコネクタ２０３ａ、パラレルインタフェースコネクタ２０３ｂ、ＵＳＢインタフェースコネクタ２０３ｃは、電子装置１０５と外部とを接続し、データの送受信を行うことができる。これらインタフェース部２０３に電子装置１０５のプログラムや設定情報を有するデータを備える機器やネットワークを接続し、電子装置１０５がそのデータを受信することで電子装置１０５のプログラムや設定情報を変更することができる。
【００２８】
そして、制御部２０６には、電子装置１０５とオプション機器とを接続する９ピンのオプションインタフェースコネクタ２０３ｄを備えている。このオプションインタフェースコネクタ２０３ｄは、シリアル通信を行うための信号線を接続し、その信号線には制御部２０６からみて送信する送信データ信号Ｔｘｄと受信する受信データ信号Ｒｘｄと０Ｖ、５Ｖの電源と数本の制御信号で構成されている。送信、受信に使用されているデータはいずれも８ｂｉｔで構成されている。
【００２９】
このオプションインタフェースコネクタ２０３ｄには、オプション機器が接続される。このとき、図３のように、制御部２０６側の受信データ信号Ｒｘｄとオプション機器側の送信データ信号Ｔｘｄとが対応し、制御部２０６側の送信データ信号Ｔｘｄとオプション機器側の受信データ信号Ｒｘｄとが対応するように接続される。これにより、電子装置１０５とオプション機器との間でデータの送受信を行うことができる。
【００３０】
ここで、電子装置１０５が梱包部材によって梱包されている状態である場合、オプションインタフェースコネクタ２０３ｄには、図４のような制御部側の送信データ信号Ｔｘｄと受信データ信号Ｒｘｄとを物理的に接続したコネクタ４０１を備えるケーブルが接続される。このコネクタ４０１により電子装置１０５の制御部２０６が送信した信号をそのまま受信信号として電子装置１０５の制御部２０６に送信することができる。
【００３１】
この制御部２０６は、電子装置１０５を制御し、電子装置１０５の動作を司る。そして、制御部２０６は、図５に示されるように、ＣＰＵ（Ｃｅｎｔｒａｌ  Ｐｒｏｃｅｓｓｉｎｇ  Ｕｎｉｔ）３０１と、ＲＡＭ（Ｒａｎｄａｍ  Ａｃｃｅｓｓ  Ｍｅｍｏｒｙ）３０２と、フラッシュメモリ３０３、ＲＯＭ（Ｒｅａｄ  Ｏｎｌｙ  Ｍｅｍｏｒｙ）３０４、通信制御ＬＳＩ（Ｌａｒｇｅ  Ｓｃａｌｅ  Ｉｎｔｅｇｒａｔｉｏｎ）３０５と、インタフェース部２０３とを備えている。
【００３２】
ＣＰＵ３０１は、マイクロプロセッサによって構成され、ＲＡＭ３０２、フラッシュメモリ３０３、ＲＯＭ３０４及び通信制御ＬＳＩ３０５に接続している。このＣＰＵ３０１は、フラッシュメモリ３０３やＲＯＭ３０４に格納されたプログラムを実行することにより、制御部２０６を介して電子装置１０５全体の制御を行っている。そして、制御部２０６からインタフェース部２０３のオプションインタフェース２０３ｄに対して所定の出力信号を出力させ、外部装置又はコネクタ４０１を備えるケーブルからの入力信号を受け取り、出力信号と入力信号とを比較する。これにより、ＣＰＵ３０１は、電子装置１０５が梱包部材によって梱包されている状態であるか否かを検出する。
【００３３】
そして、ＣＰＵ３０１は、電子装置１０５が梱包されている状態である場合、電子装置１０５を設定変更モードで起動させ、一方、電子装置１０５が梱包されていない状態である場合、電子装置１０５を通常モードで起動させる。電子装置１０５が設定変更モードである場合、ＣＰＵ３０１は、通信制御ＬＳＩ３０５を介して外部から変更に必要な変更データとこの変更データがどの部分のものなのかを示すアドレス情報とを受信し、変更データとアドレス情報を解析することができる。受信した変更データとアドレス情報に基づいてフラッシュメモリ３０３に格納されている電子装置１０５の設定情報やプログラムを変更する。また、ＣＰＵ３０１は、コネクタを介して操作パネル２０１に接続され、操作パネル２０１に電子装置１０５が通常モードであるか設定変更モードであるかを表示させることができる。
【００３４】
ＲＡＭ３０２は、ＣＰＵ３０１と接続されている。ＤＲＡＭ（Ｄｙｎａｍｉｃ  ＲＡＭ）、ＳＤＲＡＭ（Ｓｙｎｃｈｒｏｎｏｕｓ  ＤＲＡＭ）等で構成され、プログラム実行のための一次記憶領域として使用される。例えば、操作パネル２０１の操作入力されたデータを蓄積することができる。
【００３５】
フラッシュメモリ３０３は、ＣＰＵ３０１とＲＯＭ３０４とに接続されている。そして、フラッシュメモリ３０３は、図６のように、電子装置１０５を動作させるプログラムを格納するプログラム格納部分３０３ｂと、電子装置１０５の設定情報を格納する設定情報格納部分３０３ｃとを有する。このプログラム格納部分３０３ｂと設定情報格納部分３０３ｃは、ともに電子装置１０５のプログラム及び設定情報を記憶する記憶部となる。そしてフラッシュメモリ３０３は、設定変更モードで起動した電子装置１０５において、外部装置やネットワークから受信するデータに基づいてプログラム及び設定情報の変更を制御するプログラムを格納するローダ部分３０３ａとを有している。このローダ部分３０３ａがプログラム及び設定情報の変更を行う変更手段となる。この各部分は予め設定されたアドレスに配置されている。このフラッシュメモリ３０３に格納されているプログラム及び設定情報は、ＣＰＵ３０１が外部から受信する変更データとアドレス情報に基づき、ローダ部分３０３ａのプログラムを実行することで変更される。
【００３６】
ＲＯＭ３０４は、ＣＰＵ３０１とフラッシュメモリ３０３とに接続されている。このＲＯＭ３０４は、ＵＶ−ＥＰＲＯＭ（Ｕｌｔｒａ−Ｖｉｏｌｅｔ  Ｅｒａｓａｂｌｅ  Ｐｒｏｇｒａｍｍａｂｌｅ  Ｒｅａｄ  Ｏｎｌｙ  Ｍｅｍｏｒｙ：紫外線消去型ＲＯＭ）ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリで構成され、制御プログラムを格納する。例えば、ＲＯＭ３０４に格納されたプログラムによって、制御部２０６からの出力信号の出力や、外部からの入力信号と出力とのＣＰＵ３０１での比較等を行わせることができる。
【００３７】
通信制御ＬＳＩ３０５は、ＣＰＵ３０１とインタフェース部２０３とに接続されている。この通信制御ＬＳＩ３０５は、インタフェース部２０３を通じて接続される外部装置やネットワークから受信する変更データ、コネクタ４０１を備えるケーブルから送受信する信号や変更データを制御することができる。そして、受信した信号や変更データは、ＣＰＵ３０１に受け渡すことができる。
【００３８】
電子装置１０５は、上箱１０１と下箱１０６により構成される梱包部材により梱包される（以下、このような状態を梱包状態とする）。電子装置１０５の梱包状態で、電子装置１０５のプログラムや設定情報を変更しようとした場合、上箱１０１の側面に備えられたミシン目を切り取り、開口部を形成する。そして、この電子装置１０５の電源コネクタ２０４に開口部１０２ｃを介して電源が接続される。また、電子装置１０５のオプションインタフェースコネクタ２０３ｄに開口部１０２ｂを介してコネクタ４０１を備えたケーブルを接続する。さらに、電子装置１０５のプログラムや設定情報を変更するデータを有する外部装置やネットワークを変更手段としてインタフェース部２０３のオプションインタフェースコネクタ２０３ｄ以外に接続する。ここで、開口部１０２ａを介して電子装置１０５の電源スイッチ２０２をオンとし、電子装置１０５を電源と電気的に接続し、電子装置１０５を設定変更モードで起動させる。設定変更モードの電子装置１０５は、インタフェース部２０３に接続された外部装置やネットワークから電子装置１０５のプログラムや設定情報を受信し、制御部２０６のフラッシュメモリ３０３のローダ部分３０３ａによりプログラム格納部分３０３ｂ又は設定情報格納部分３０３ｃを変更する。これにより、電子装置１０５のプログラムや設定情報を梱包状態のまま変更することができる。
【００３９】
以下、実施の形態１で示される本発明の電子装置１０５の動作について図７を参照しながら説明する。電気的に接続された電子装置１０５の制御部２０６は、まず、ステップＳ５０１のように、オプションインタフェースコネクタ２０３ｄを介して、例えば"０００１１１１０"の８ビットの出力信号を出力する。
【００４０】
そして、制御部２０６は、ステップＳ５０２のように、オプションインタフェースコネクタ２０３ｄを介して電子装置１０５に入力される入力信号を確認する。このとき、電子装置１０５が梱包状態でない場合、オプションインタフェースコネクタ２０３ｄには外部装置が接続されているか、何も接続されていない。オプションインタフェースコネクタ２０３ｄにオプション機器が接続されている場合、例えば、"０００１１１１１"のように、ステップＳ５０１でオプション機器に出力した出力信号とは異なる信号を入力信号として受け取ることになる。また、オプションインタフェースコネクタ２０３ｄに何も接続されていない場合、入力信号は受け取れない。すなわち、制御部２０６が出力した出力信号と入力された入力信号とが異なるか、入力信号を受け取れない。
【００４１】
一方、電子装置１０５が梱包状態である場合、オプションインタフェースコネクタ２０３ｄには、コネクタ４０１を備えるケーブルが接続されている。コネクタ４０１は、送信データ信号Ｔｘｄと受信データ信号Ｒｘｄが物理的に接続されており、ステップＳ５０１で出力した出力信号は、そのまま電子装置１０５のインタフェース部に対する入力信号となる。すなわち、制御部２０６が出力した出力信号と入力された入力信号とが一致する。
【００４２】
そこで、制御部２０６は、ステップＳ５０２のように、ＣＰＵ３０１で入力信号の有無及び出力信号と入力信号との比較を行う。ここで出力信号と入力信号が一致しない場合、制御部２０６は、電子装置１０５は、梱包状態ではないことを検出し、ステップＳ５０３のように、通常モードで電子装置１０５を起動させ、設定変更に関する制御部２０６の処理を終了する。
【００４３】
ステップＳ５０２において、出力信号と入力信号が一致する場合、制御部２０６は、電子装置１０５が梱包状態であることを検出し、ステップＳ５０４のように、設定変更モードで電子装置１０５を起動させる。そして、制御部２０６は、ステップＳ５０５のように、ＣＰＵ３０１を介して、電子装置１０５の操作パネル２０１に設定変更モードで起動する旨の表示を行う。
【００４４】
そして、制御部２０６は、ステップＳ５０６のように、インタフェース部２０３に接続されている外部装置やネットワークから電子装置１０５のプログラムや設定情報の変更データをアドレス情報とともに受信する。
【００４５】
制御部２０６が変更データ及びアドレス情報の受信が完了した後、ステップＳ５０７のように、ＣＰＵ３０１でアドレス情報から、受信した変更データが設定情報のデータであるか否かを解析する。変更データが設定情報のデータである場合、制御部２０６は、ステップＳ５０８のように、フラッシュメモリ３０３のローダ部分３０３ａのプログラムを利用して設定情報格納部分３０３ｃを変更する。設定情報格納部分３０３ｃの変更が終了した後、制御部２０６は、ステップＳ５１１に移行する。
【００４６】
また、ステップＳ５０７において、変更データが設定情報のデータでない場合、制御部２０６は、ステップＳ５０９のように、ＣＰＵ３０１でアドレス情報から、受信した変更データがプログラムのデータであるか否かを解析する。変更データがプログラムのデータである場合、制御部２０６は、ステップＳ５１０のように、フラッシュメモリ３０３のローダ部分３０３ａのプログラムを利用してプログラム格納部分３０３ｂを変更する。プログラム格納部分３０３ｂの変更が終了した後、制御部２０６は、ステップＳ５１１に移行する。
【００４７】
そして、制御部２０６は、ステップＳ５１１のように、プログラム又は設定情報の変更終了をＣＰＵ３０１によって操作パネル２０１に表示し、設定変更に関する制御部２０６の処理を終了する。
【００４８】
ステップＳ５０９において、変更データがプログラムでない場合、制御部２０６は、ステップＳ５１２のように、受信した変更データに異常があると判断し、ＣＰＵ３０１によって、その旨を操作パネル２０１に表示する。そして、設定変更に関する制御部２０６の処理を終了する。
【００４９】
このように、制御部２０６のＣＰＵ３０１によって出力信号と入力信号とを比較することで、電子装置１０５が梱包状態であるか否かを検出する。そして、変更手段となるフラッシュメモリ３０３のローダ部分３０３ａによって、フラッシュメモリ３０３の設定情報格納部分３０３ｃ又はプログラム格納部分３０３ｂを変更することができる。
【００５０】
以上のように、実施の形態１で説明した電子装置１０５及び電子装置１０５を梱包部材は、梱包状態にある電子装置１０５の電源コネクタ２０４、インタフェース部２０３、操作パネル２０１及び電源スイッチ２０２のそれぞれに対応する開口部を梱包部材に設けることで、開梱して電子装置１０５を取り出さなくても電源を投入することができる。そして、電源が投入されることで、制御部２０６のＣＰＵ３０１が梱包状態であるか否かを検出することができ、梱包状態にある電子装置１０５を設定変更が可能となる。さらに、変更後に電子装置１０５を再度梱包する必要がなくなる。したがって、装置の設定変更が短時間で効率的に実施することができる。
【００５１】
［実施の形態２］
本実施の形態２で説明する電子装置１０５及び電子装置１０５を梱包する梱包部材は、電子装置１０５のフェイスダウンスタッカ２０５の近傍に、図８のような媒体の堆積量を検出する堆積量検出手段であるスタッカフルセンサ２０８を備えている。さらに、図９のように、電子装置１０５の内部に、媒体に現像剤となるトナーを収容するトナーカートリッジ２０９とトナーを使って現像を行うイメージドラムカートリッジ２１０とが実装されている。以下、実施の形態２の電子装置１０５について説明するが、実施の形態１と重複する部材は、同一の番号を付し、説明を省略する。
【００５２】
フェイスダウンスタッカ２０５の近傍に備えられるスタッカフルセンサ２０８は、フェイスダウンスタッカ２０５に存在する媒体の堆積量が所定量を越えているか否かを監視する。このスタッカフルセンサ２０８の監視によって、媒体の堆積量が所定量を越えた場合、スタッカフルセンサ２０８はそれを検知し、その旨を信号として制御部２０６のＣＰＵ３０１に送信する。
【００５３】
トナーカートリッジ２０９は、現像剤であるトナーを収容する現像剤収容部であり、電子装置１０５が媒体に現像剤であるトナーを使って印刷する際に、トナーを貯蔵する部材である。このトナーカートリッジは、図９のように、イメージドラムカートリッジ２１０に着脱自在に装着されている。トナーカートリッジ２０９をイメージドラムカートリッジ２１０に備えることで、イメージドラムカートリッジ２１０にトナーを供給することができる。
【００５４】
イメージドラムカートリッジ２１０は、電子装置１０５の内部に着脱自在に実装されている。このイメージドラムカートリッジ２１０は、感光体などで内部のイメージドラムに静電潜像を形成し、トナーカートリッジ２０９を装着することで供給されるトナーによって現像し、媒体にそのトナーを付着させることで印刷を行うことができる。
【００５５】
そして、電子装置１０５は、カラー印刷を行うことができるように、ブラック、イエロー、マゼンタ、シアンの４色のトナーをそれぞれ貯蔵した４つのトナーカートリッジ２０９を有する。そして、それぞれのトナーカートリッジに対応するイメージドラムカートリッジ２１０が電子装置１０５に実装される。この４つのトナーカートリッジ２０９の内部には、それぞれ無線ＩＣタグが備えられている。そして、この４つ無線ＩＣタグのそれぞれに対応するタグリーダライタが電子装置１０５に実装されている。このＩＣタグとタグリーダライタが装着状態を検知する装着状態検知部となる。電子装置１０５内部に実装される４つのイメージドラムカートリッジ２１０に４色それぞれのトナーカートリッジ２０９が装着されている場合、４色のトナーカートリッジ２０９からその旨の信号がそれぞれＣＰＵ３０１に送信される。すなわち、この信号の有無を確認し、信号がある場合、トナーカートリッジ２０９が装着されていることになる。
【００５６】
制御部２０６のＣＰＵ３０１は、スタッカフルセンサ２０８の信号と、トナーカートリッジ２０９からの４つの信号の有無によって電子装置１０５が梱包部材によって梱包されているか否かを検知する。
【００５７】
電子装置１０５は、上箱１０１と下箱１０６により構成される梱包部材により梱包される。このとき、フェイスダウンスタッカ２０５には、媒体が所定量を越えて積み重なった状態で、テープ又は固定部材で媒体を固定される。また、電子装置１０５の内部は、トナーカートリッジ２０９を装着していないイメージドラムカートリッジ２１０が実装されている。そして、電子装置１０５の梱包状態で、電子装置１０５のプログラムや設定情報を変更しようとした場合、上箱１０１の側面に備えられたミシン目を切り取り、開口部を形成する。また、この電子装置１０５の電源コネクタ２０４に開口部１０２ｃを介して電源が接続される。さらに、電子装置１０５のプログラムや設定情報を変更するデータを有する外部装置やネットワークを変更手段としてインタフェース部２０３のオプションインタフェースコネクタ２０３ｄ以外に接続する。ここで、開口部１０２ａを介して電子装置１０５の電源スイッチ２０２をオンとし、電子装置１０５を電源と電気的に接続し、電子装置１０５を設定変更モードで起動させる。設定変更モードの電子装置１０５は、インタフェース部２０３に接続された外部装置やネットワークから電子装置１０５のプログラムや設定情報を受信し、制御部２０６のフラッシュメモリ３０３のローダ部分３０３ａによりプログラム格納部分３０３ｂ又は設定情報格納部分３０３ｃを変更する。これにより、電子装置１０５のプログラムや設定情報を梱包状態のまま変更することができる。
【００５８】
以下、実施の形態２で示される本発明の電子装置１０５の動作について図１０を参照しながら説明する。電気的に接続された電子装置１０５の制御部２０６は、まず、ステップＳ７０１のように、ＣＰＵ３０１でスタッカフルセンサ２０８の信号と、電子装置１０５に実装されたトナーカートリッジ２０９からの４つの信号の有無を確認する。
【００５９】
そして、制御部２０６は、ステップＳ７０２のように、ＣＰＵ３０１でトナーカートリッジ２０９からの４つの信号に基づいて４色のトナーカートリッジ２０９が備えられたイメージドラムカートリッジ２１０を電子装置１０５に実装しているか否かを検知する。４つのトナーカートリッジ２０９のうちいずれかの信号が確認された場合、制御部２０６は、トナーカートリッジ２０９のうちいずれかを装着したイメージドラムカートリッジ２１０が実装されていると判断し、ステップＳ７０４のように、通常モードで電子装置１０５を起動させ、設定変更に関する制御部２０６の処理を終了する。
【００６０】
一方、４つのトナーカートリッジ２０９のいずれからも信号が確認されない場合、制御部２０６は、全てのイメージドラムカートリッジ２１０がトナーカートリッジ２０９を装着せずに電子装置１０５に実装されていると判断し、ステップＳ７０３に移行する。そして、制御部２０６は、ステップＳ７０３のように、ＣＰＵ３０１でスタッカフルセンサ２０８の信号からフェイスダウンスタッカ２０５に所定量を越えた媒体が堆積しているか否かを検知する。スタッカフルセンサ２０８の信号を検知しない場合、制御部２０６は、ステップＳ７０４のように、通常モードで電子装置１０５を起動させ、設定変更に関する制御部２０６の処理を終了する。
【００６１】
すなわち、トナーカートリッジ２０９からの４つの信号及びスタッカフルセンサ２０８の信号のうち少なくとも１つの信号が検知できた場合、ＣＰＵ３０１は、電子装置１０５が梱包状態でないことを検出し、ステップＳ７０４のように、通常モードで電子装置１０５を起動させる。
【００６２】
ステップＳ７０３において、スタッカフルセンサ２０８からの信号を検知した場合、制御部２０６は、梱包状態であることを検出し、ステップＳ７０５のように、設定変更モードで電子装置１０５を起動させる。そして、制御部２０６は、ステップＳ７０６のように、ＣＰＵ３０１を介して、電子装置１０５の操作パネル２０１に設定変更モードで起動する旨の表示を行う。
【００６３】
そして、制御部２０６は、ステップＳ７０７のように、インタフェース部２０３に接続されている外部装置やネットワークから電子装置１０５のプログラムや設定情報の変更データをアドレス情報とともに受信する。
【００６４】
制御部２０６が変更データ及びアドレス情報の受信が完了した後、ステップＳ７０８のように、ＣＰＵ３０１でアドレス情報から、受信した変更データが設定情報のデータであるか否かを解析する。変更データが設定情報のデータである場合、制御部２０６は、ステップＳ７０９のように、フラッシュメモリ３０３のローダ部分３０３ａのプログラムを利用して設定情報格納部分３０３ｃを変更する。設定情報格納部分３０３ｃの変更が終了した後、制御部２０６は、ステップＳ７１２に移行する。
【００６５】
また、ステップＳ７０８において、変更データが設定情報のデータでない場合、制御部２０６は、ステップＳ７１０のように、ＣＰＵ３０１でアドレス情報から、受信した変更データがプログラムのデータであるか否かを解析する。変更データがプログラムのデータである場合、制御部２０６は、ステップＳ７１１のように、フラッシュメモリ３０３のローダ部分３０３ａのプログラムを利用してプログラム格納部分３０３ｂを変更する。プログラム格納部分３０３ｂの変更が終了した後、制御部２０６は、ステップＳ７１２に移行する。
【００６６】
そして、制御部２０６は、ステップＳ７１２のように、プログラム又は設定情報の変更終了をＣＰＵ３０１によって操作パネル２０１に表示し、設定変更に関する制御部２０６の処理を終了する。
【００６７】
ステップＳ７１０において、変更データがプログラムでない場合、制御部２０６は、ステップＳ７１３のように、受信した変更データに異常があると判断し、ＣＰＵ３０１によって、その旨を操作パネル２０１に表示する。そして、設定変更に関する制御部２０６の処理を終了する。
【００６８】
このように、制御部２０６のＣＰＵ３０１によってスタッカフルセンサ２０８の信号を確認し、フェイスダウンスタッカ２０５に所定量を越える媒体があるか否かを検知する。そして、及びトナーカートリッジ２０９からの４つの信号を確認し、４つ全てのイメージドラムカートリッジ２１０にトナーカートリッジ２０９を備えて電子装置１０５に実装されているか否か検知する。これにより、電子装置１０５が梱包状態であるか否かを検出する。そして、変更手段となるフラッシュメモリ３０３のローダ部分３０３ａによって、フラッシュメモリ３０３の設定情報格納部分３０３ｃ又はプログラム格納部分３０３ｂを変更することができる。
【００６９】
以上のように、実施の形態２で説明した電子装置１０５及び電子装置１０５を梱包部材は、梱包状態にある電子装置１０５の電源コネクタ２０４、インタフェース部２０３、操作パネル２０１及び電源スイッチ２０２のそれぞれに対応する開口部を梱包部材に設けることで、開梱して電子装置１０５を取り出さなくても電源を投入することができる。そして、電源が投入されることで、制御部２０６のＣＰＵ３０１が梱包状態であるか否かを検出することができ、梱包状態にある電子装置１０５を設定変更が可能となる。さらに、変更後に電子装置１０５を再度梱包する必要がなくなる。したがって、装置の設定変更が短時間で効率的に実施することができる。実施の形態２で説明した電子装置１０５の場合、実施の形態１で説明したコネクタ４０１を準備する必要が無くなり、梱包状態での設定変更をより安価に実施することができる。
【００７０】
上述のように、本発明の電子装置１０５は、プリンタ等の画像形成装置を例に挙げて説明したが、本発明は、これに限られるものではない。装置内に書き換え可能もしくは設定変更可能な記憶部を有し、外部から接続することにより装置の情報を変更することができる電子装置であってもよい。例えば、プリンタ、複写機、ファックス、パーソナルコンピュータ等が挙げられる。
【００７１】
また、本発明の電子装置１０５の梱包部材は、側面にミシン目によって形成されている開口部の例を示したが、本発明はこれに限られるものではない。例えば、予め開口部を形成し、開口部をキャップで塞ぐといったように、開口部を開閉自在に設けたものであってもよい。これにより、必要なときのみに開口部として使用することができ、開口部を使用しない場合は開口部を塞ぐことで梱包部材の内部に入り込む塵や埃等の進入を防ぎ、梱包される電子装置１０５のショート等を防止することができる。
【図面の簡単な説明】
【００７２】
【図１】本発明の電子装置及びこの電子装置の梱包部材の分解斜視図である。
【図２】本発明の電子装置を示す図である。（ａ）は、電子装置の正面側を示す斜視図であり、（ｂ）は、電子装置の背面側を示す斜視図であり、（ｃ）は、電子装置の制御部２０６を示す斜視図である。
【図３】本発明の電子装置のオプションインタフェースコネクタのピン配列を示す図である。
【図４】本発明の電子装置が梱包部材によって梱包される際にオプションインタフェースコネクタに備えられるコネクタを示す。
【図５】本発明の電子装置の制御部の構成を示すブロック図である。
【図６】本発明の電子装置に搭載するフラッシュメモリの内部設定を示す図である。
【図７】本発明の電子装置の制御部の動作フローを示すフローチャートである。
【図８】本発明の電子装置の断面図である。
【図９】本発明の電子装置の構造を示す図である。（ａ）は、本発明の電子装置の内部構造を示す図であり、（ｂ）は、本発明の電子装置の内部に実装されるイメージドラムカートリッジを示す図である。
【図１０】本発明の電子装置の制御部の動作フローを示すフローチャートである。
【符号の説明】
【００７３】
１０１  上箱
１０２ａ、１０２ｂ、１０２ｄ、１０２ｃ  開口部
１０３  付属品箱
１０４  緩衝部材
１０５  電子装置
１０６  下箱
２０１  操作パネル
２０２  電源スイッチ
２０３  インタフェース部
２０３ａ  ネットワークインタフェースコネクタ
２０３ｂ  パラレルインタフェースコネクタ
２０３ｃ  ＵＳＢインタフェースコネクタ
２０３ｄ  オプションインタフェースコネクタ
２０４  電源コネクタ
２０５  フェイスダウンスタッカ
２０６  制御部
２０７  フェイスアップスタッカ
２０８  スタッカフルセンサ
２０９  トナーカートリッジ
２１０  イメージドラムカートリッジ
３０１  ＣＰＵ
３０２  ＲＡＭ
３０３  フラッシュメモリ
３０３ａ  ローダ部分
３０３ｂ  プログラム格納部分
３０３ｃ  設定情報格納部分
３０４  ＲＯＭ
３０５  通信制御ＬＳＩ
４０１  コネクタ
【図１】
2006243419.tif 000003
【図２】
2006243419.tif 000004
【図３】
2006243419.tif 000005
【図４】
2006243419.tif 000006
【図５】
2006243419.tif 000007
【図６】
2006243419.tif 000008
【図７】
2006243419.tif 000009
【図８】
2006243419.tif 000010
【図９】
2006243419.tif 000011
【図１０】
2006243419.tif 000012